(57)【要約】【課題】コンバータレンズを取り付けた状態での不要な反射光が撮影レンズに入射しないようなコンバータレンズのための鏡筒を提供する。【解決手段】本コンバータレンズのための鏡筒であるアダプタ筒２１は、カメラ１のレンズ鏡筒１０の前部に着脱可能な筒状部材であって、その内部にアダプタ絞り２２が取り付けられている。アダプタ筒２１の前方部には、コンバータレンズ２４を保持するコンバータ鏡筒２３が螺着により固定される。カメラ１を撮影可能な状態にした場合、第一群枠６のリング状前端面部６ａにアダプタ絞り２２の開口部２２ａが当接する。その当接状態では、リング状前端面部６ａがアダプタ絞り２２で遮られるので撮影時の入射光がリング状前端面部６ａで反射されることがなく、良好な撮影画像が得られる。【選択図】図２
2005099209.tif 000002
【特許請求の範囲】
【請求項１】
カメラの撮影レンズ先端に取り付け可能なコンバータレンズのための鏡筒において、
カメラの撮影レンズ鏡筒先端の該撮影レンズ光軸に略直交する平面を有する端面から反射された反射光の少なくとも一部が該撮影レンズ内へ進入することを防止するため、該撮影レンズの上記端面と上記コンバータレンズの間に配置された絞りを有することを特徴とするコンバータレンズのための鏡筒。
【請求項２】
上記鏡筒は、上記撮影レンズと上記コンバータレンズを支持する鏡枠との間に配置されるアダプタであることを特徴とする請求項１記載のコンバ一タレンズのための鏡筒。
【請求項３】
上記絞りは、可撓性の材料から成ることを特徴とする請求項１記載のコンバ一タレンズのための鏡筒。
【請求項４】
上記絞りは、上記撮影レンズの移動を拘束せずに、弾性変形可能であることを特徴とする請求項３記載のコンバ一タレンズのための鏡筒。
【発明の詳細な説明】
【技術分野】
【０００１】
本発明は、コンバ一タレンズのための鏡筒の構造に関する。
【背景技術】
【０００２】
従来から撮影レンズの前面にコンバータレンズが着脱可能となっているカメラがある。例えば、特許文献１に開示されているものは、レンズ鏡筒前面側のリング部材に換えてコンバータレンズアダプタをネジ締めにより装着し、該アダプタにコンバータレンズユニットを装着することにより所望の光学性能にて撮影を行うことができる。
【特許文献１】特許文献１は、特開２００２−３０３９３０号公報である。
【発明の開示】
【発明が解決しようとする課題】
【０００３】
ところが、上述した特許文献１に開示されているもののようにレンズ鏡筒の前面側にコンバータレンズを装着した場合、レンズ鏡筒の鏡枠前端面のリング形状部で反射した光がコンバータレンズで反射されて不要撮影光として撮影面に入射する虞があった。
【０００４】
図４（Ａ），（Ｂ），（Ｃ）は、従来のカメラにおいてコンバータレンズ装着状態で鏡枠前端面で反射した光が不要撮影光として撮影面に入射する状態を各ズーム状態で示した光路図である。図４（Ａ），（Ｂ），（Ｃ）に示すようにそれぞれレンズ鏡筒のワイド状態、標準状態，テレ状態において、撮影光の一部が入射光としてレンズ鏡筒５０のリング状前端面５０ａで一旦反射され、さらに、コンバータレンズ５５の表面でレンズ鏡筒５０側に反射される。その不要光は、１群レンズ５１，２群レンズ５２，３群レンズ５３，ローパスフィルタ５４を透過して撮像素子受光面に到達する。撮像素子受光面に到達する上記不要光により撮像画像にフレアが生じたり、あるいは、前端面の像が写る場合もある。この不要光の影響は、特にワイド状態の場合、撮影像の中央寄りに入射し、テレ状態では、撮影像の外方に逃げることからワイド状態での影響が大きい。
【０００５】
図５は、図４（Ａ）等に示した状態での撮影画像５６を示している。この撮影画像５６には、リング状前端面５０ａの像５６ａ、および、フレアによる像５６ｂが生じている。また、図６も同様に図４（Ａ）等に示した状態での撮影画像５７を示している。この撮影画像５７には画像中にリング状前端面５０ａ上に付されているマークが前端面像に付された状態で現れている。これらの不良画像は、特にワイド状態の場合に現れやすい。
【０００６】
レンズ鏡筒の前端面５６ａを光沢面にする必要がないときや、前端面５６ａにマーク等の標識を付す必要がない場合には、レンズ鏡筒の前端面５６ａの無反射処理が可能であるが、レンズ鏡筒の前端面５６ａをデザイン上、光沢面にしたり、マーク等を付す必要がある場合は、上記無反射処理を施すことができない。
【０００７】
本発明は、上述の問題点を解決するためになされたものであり、コンバータレンズを取り付けた状態での不要な反射光が撮影レンズに入射しないようなコンバータレンズのための鏡筒を提供することを目的とする。
【課題を解決するための手段】
【０００８】
本発明の請求項１記載のコンバータレンズのための鏡筒は、カメラの撮影レンズ先端に取り付け可能なコンバータレンズのための鏡筒において、カメラの撮影レンズ鏡筒先端の該撮影レンズ光軸に略直交する平面を有する端面から反射された反射光の少なくとも一部が該撮影レンズ内へ進入することを防止するため、該撮影レンズの上記端面と上記コンバータレンズの間に配置された絞りを有する。
【０００９】
本発明の請求項２記載のコンバータレンズのための鏡筒は、請求項１記載のコンバータレンズを有する鏡筒において、上記鏡筒は、上記撮影レンズと上記コンバータレンズを支持する鏡枠との間に配置されるアダプタである。
【００１０】
本発明の請求項３記載のコンバータレンズを有する鏡筒は、請求項１記載のコンバータレンズを有する鏡筒において、上記絞りは、可撓性の材料から成る。
【００１１】
本発明の請求項４記載のコンバータレンズのための鏡筒は、請求項３記載のコンバータレンズのための鏡筒において、上記絞りは、上記撮影レンズの移動を拘束せずに、弾性変形可能である。
【発明の効果】
【００１２】
本発明によれば、コンバータレンズを取り付けた状態での不要な反射光が撮影面に入射しないようなコンバータレンズのための鏡筒を提供することができる。
【発明を実施するための最良の形態】
【００１３】
以下、図を用いて本発明の実施形態を説明する。  
図１，２，３は、それぞれ本発明の第一の実施形態のコンバータレンズのための鏡筒が装着された状態のカメラの沈胴状態，ワイド状態，テレ状態での光軸Ｏを通る水平方向の断面図である。
【００１４】
本実施形態のカメラ１は、撮像素子を内蔵するデジタルカメラであって、レンズ鏡筒等の各構成部材を支持するカメラ本体４と、カメラ本体４を覆う外装体である前カバー２，後カバー３と、レンズ鏡筒１０と、撮像素子であるＣＣＤ１５と、レンズ鏡筒１０の前部に着脱可能なコンバータレンズのための鏡筒（鏡枠）としてのアダプタ筒２１とを有してなる。アダプタ筒２１には、その前部にコンバータ鏡筒２３が着脱可能である。
【００１５】
レンズ鏡筒１０は、カメラ本体に固定される固定枠５と、進退可能な移動枠７と、内フランジ前面部６ａを有する進退可能な第一群枠６と、撮影レンズ光学系としての第一群枠６に支持される進退可能な第一群レンズ１１、図示しないレンズ保持枠に支持される進退可能な第二群レンズ１２、および、第三群レンズ１３と、ローパスフィルタ１４を有してなる。撮影時には移動枠７と第一群枠６とは、図１に示す沈胴位置から図２に示すワイド位置、さらに、図３に示すテレ位置に繰り出される。
【００１６】
第一群枠６のリング状前端面部６ａの表面は、光軸Ｏに直交する平面に沿っており、内側の開口周辺部分６ｂを除いて特に反射防止処理がなされておらず、場合によっては、符号，標識等が付されていてもよい。開口周辺部分６ｂは、反射防止処理がなされている。
【００１７】
アダプタ筒２１は、レンズ鏡筒のフィルタ装着ネジ４ａに螺着可能な雄ネジを有するカメラ装着側の円筒部と、前方部に広大する円錐状筒部とからなる筒状部材である。アダプタ筒２１の円筒部先端内周に絞り装着用溝２１ｂと、円錐状筒部先端内周にコンバータ装着ネジ２１ａとが設けられる。絞り装着溝２１ｂには、絞りとしてのアダプタ絞り２２が固着される。
【００１８】
アダプタ絞り２２は、可撓性を有するゴム製リング形状部材であって、中央部に向けてレンズ鏡筒側にすり鉢状に傾斜し、その中央部に円形開口部２２ａが設けられる。この開口部２２ａは、第一群枠６のリング状前面部６ａの円形開口部の径より僅かその寸法が大きくなっている。すなわち、撮影光を反射する虞のない開口部周辺部分６ｂを除いたリング状前端面部６ａを覆っている。また、アダプタ絞り２２の開口部２２の先端は、第一群枠６の前端面部６ａが当接し、押圧されたとき、僅かに弾性変形可能である。また、アダプタ絞り２２の表面は、光反射防止面となっている。
【００１９】
コンバータ鏡筒２３は、前方部に向けて広がる略円錐筒形状の部材である。このコンバータ鏡筒２３は、その内部にワイド用コンバータレンズ群２４が保持されており、アダプタ筒２１のコンバータ装着ネジ２１ａに螺着して取り付け可能である。
【００２０】
上述したカメラ１にアダプタ筒２１が装着され、さらに、アダプタ筒２１にコンバータ鏡筒２３が装着された状態でカメラ１を図１の沈胴状態から撮影可能なワイド状態に切り換えると、図２に示すように移動枠７と第一群枠６とがそれぞれのワイド位置に繰り出される。なお、第一群枠６がワイド位置に繰り出される場合、一旦、ワイド定位置よりもさらに、光軸前方側へ僅かな量繰り出された後、上記ワイド定位置に停止する。そのとき、第一群枠６のリング状前端面部６ａによりアダプタ絞り２２の開口部２２ａ周辺をわずかに押圧変形させる。
【００２１】
次に、カメラ１を撮影可能なテレ状態に切り換えると、図３に示すように第一群枠６がワイド位置からテレ位置に繰り出される。そのとき、第一群枠６のリング状前端面部６ａによりアダプタ絞り２２の開口部２２ａ周辺が前方に押圧され、弾性変形する。
【００２２】
上述したカメラ１のワイド状態およびテレ状態にあって、コンバータレンズ２４を介して撮影を行った場合、コンバータから入射した不要な入射光は、アダプタ絞り２２により遮られて第一群枠のリング状前端面部６ａで反射することがない。従って、図４（Ａ）に示したようにしたような前端面部６ａでの反射光がＣＣＤ１５の撮像面に入射せず、図５，６等に示されるような撮影された画面にフレア等の不要像が写ることがない。
【００２３】
上述したように本実施形態のカメラにおいては、アダプタ絞り２２付きアダプタ筒２１を取り付けた状態でコンバータレンズ鏡筒２３が装着される。従って、第一群枠６のリング状前端面部６ａが光沢面面であったり、あるいは、文字、符号等が印刷されていたとしても、その前端面部６ａでの反射光が撮像面に入射することがなく、良好な画像が撮影可能である。
【００２４】
また、本実施形態では、コンバータレンズ鏡筒２３とアダプタ筒２１とを別体としたが、アダプタ筒２１を一体としたコンバータレンズ鏡筒としたものを適用してもよい。また、本実施形態では、アダプタ絞り２２を可撓性の部材で構成したが、撮影レンズがこのアダプタ絞り２２と干渉しない場合は、アダプタ絞り２２を非可撓性の素材、例えば、樹脂製や金属製の素材で構成してもよい。
【産業上の利用可能性】
【００２５】
本発明は、コンバータレンズを取り付けた状態での不要な反射光が撮影面に入射しないコンバータレンズのための鏡筒として利用することができる。
【図面の簡単な説明】
【００２６】
【図１】本発明の第一の実施形態のコンバータレンズのための鏡筒が装着された状態のカメラの沈胴状態での光軸を通る水平方向の断面図である。
【図２】上記第一の実施形態のカメラのワイド状態での光軸を通る水平方向の断面図である。
【図３】上記第一の実施形態のカメラのテレ状態での光軸を通る水平方向の断面図である。
【図４】従来のカメラにおいて、コンバータレンズ装着状態にて鏡枠前端面で反射した光が不要撮影光として撮影面に入射する状態を各ズーム状態で示した光路図であって、図４（Ａ）は、ワイド状態、図４（Ｂ）は、標準状態、図４（Ｃ）は、テレ状態を示す。
【図５】上記従来のカメラにおいて、図４（Ａ）等に示した状態での撮影画像の１つを示している。
【図６】上記従来のカメラにおいて、図４（Ａ）等に示した状態での撮影画像の他の１つを示している。
【符号の説明】
【００２７】
２２  …アダプタ絞り（絞り）
２１  …アダプタ筒（コンバータレンズを支持する鏡枠）
代理人      弁理士    伊  藤    進
【図１】
2005099209.tif 000003
【図２】
2005099209.tif 000004
【図３】
2005099209.tif 000005
【図４】
2005099209.tif 000006
【図５】
2005099209.tif 000007
【図６】
2005099209.tif 000008